(57)【特許請求の範囲】
【請求項１】
建物内の合流排水横枝管と、該合流排水横枝管の間に接続配置された排水ヘッダーと、該排水ヘッダーに着脱自在に接続する複数の衛生器具のための複数の排水横枝管とからなる建物内排水管システムにおいて、該排水ヘッダーは、住戸内のコンクリートスラブと床の間に配設されていて、互いに直接連結された複数個の合流排水管継ぎ手からなり、各合流排水管継ぎ手は、前記排水横枝管が接続される分岐管部が設けられており、該分岐管部は前記合流排水横枝管の長手方向軸線に対して斜め横方向に延びており、各合流排水管継ぎ手は、前記合流排水横枝管と他の合流排水管継ぎ手との間又は他の２つの合流排水管継ぎ手の間で、ゴムリングを用いて、前記合流排水横枝管の長手方向軸線の周りに各接続部が液密状態を保ったままで、回動自在となっており、前記合流排水管継ぎ手を、接続部が液密状態を保ったままで回動させることにより、前記排水横枝管の向きを前記長手方向軸線を跨いで元の状態とは反対側に変化させ、前記衛生器具の配置位置を前記排水横枝管を跨いで反対側に配置させることができるようになっており、これによって衛生器具の移設の際に排水管の変更を自由且つ簡単に行えるようにしたことを特徴とする建物内排水管システム。
【発明の詳細な説明】
【０００１】
【発明の属する技術分野】
本発明は、建物内の排水管システムに関し、特に、建物内において、居住環境の変化に伴う衛生器具の変更及び移動に伴う衛生器具への配管路の変更が容易な建物内排水管システムに関する。
【０００２】
【従来の技術】
一般のコンクリート建造物内における給排水配管は、コンクリートスラブの下、つまり下階の天井内に配管設置スペースを設けて配管し、予め用意したスラブ貫通穴を通してスラブ上に立ち上げ、配置される衛生器具と接続させて構成されており、このような給排水配管方式は、一般に、床下配管と呼ばれている。
近年、特に高層建築物の集合住宅においては、住戸内のコンクリートスラブと床との間に配管設置スペースを設けて、その空間内に給排水配管を設けるのが主流となってきており、このような給排水配管方式は、一般に、床上配管と呼ばれている。この床上配管は、従来の床下配管に比べ、下階に影響を与えずに施工することができる点で大きなメリットがある。
【０００３】
【発明が解決しようとする課題】
しかし、最近では、特に高層建築物の集合住宅においては、台所、洗面所等における電気器具及び衛生器具の進歩により、また、居住者が同じ住居に長く生活する際に家族構成等の変化に伴う住居内のレイアウトの変更により、例えば衛生器具等に係る住戸内の配管の変更が多くなってきている。
例えば、このような衛生器具を移設をする場合、これら衛生器具に関する住戸内の給水管、給湯管及び排水管の更新を行なわなければならない。特に、排水管の場合は、衛生器具から、シャフト室内に立設されている合流排水立管までの排水の移動を自然流下に依存するために、各衛生器具から合流排水立管までの排水横枝管及び合流排水横枝管は、所定の勾配を設けて設置されなければならず、そのために、既存の、つまり移設しない衛生器具の排水横枝管の取り付け位置に対し、移設する衛生器具の排水横枝管との取り付け位置が制約されることとなる。
【０００４】
例えば、給水横枝管や給湯横枝管は、一般に配管径が排水横枝管に比べかなり細いので、配管同士を重ねても、配管設置スペース内に比較的楽に収めることができるので、給水横枝管や給湯横枝管については、配管同士を交差することができる。しかし、排水横枝管の場合は、給水横枝管や給湯横枝管に比して、管径が大きいために、配管同士を交差させようとすると、二重床の配管設置スペース内に収まらず、といって、躯体コンクリートの上下階間のスラブ間隔を変えることは、居住スペースの天井高さを低くすることになって問題である。
また、排水横枝管同士の交差を避けるように、例えば、移設する衛生器具の排水管路を迂回して設けようとすると、排水管路を徒に長くしなければならず、排水用の配管コストの面でも、また排水能力の面でも間題である。
また、以前は、一住戸に対して、排水立管を複数本立てて、最寄りの衛生器具の排水横枝管を接続する施工方法をとつていたが、最近では、合流排水管継ぎ手の排水搬送能力の向上とコストダウンを目的として、合流排水横枝管に衛生器具の排水を集めて、１本の排水立管に接続する方法を取っている。
【０００５】
【発明が解決しようとする問題点】
一般的な集合住宅における住戸内の排水管システムの場合、合流排水立管の合流排水立管継手に合流排水横枝管を接続し、各衛生器具は、夫々、排水横枝管を介して、合流排水横枝管の途中および末端に接続されている合流排水管継手に接続し、排水横枝管を介して、衛生器具に接続する構成となつている。
例えば、図５に示す従来の一般的な集合住宅における住戸内の排水管システム５８の場合には、例えば、排水立管又は排水桝（何れも図示されていない）に、合流排水横枝管５９が、排水の流れる方向６０側で接続固定されている。本例においては、衛生器具として、例えば、洗面器４、洗濯機パン５及びユニットバス６が設けられている。洗面器４の排水横枝管６１は、洗面器用の分岐管部６２に接続し、この分岐管部６２は、前記合流排水横枝管５９に接続している合流排水管継ぎ手６３から分岐している。この合流排水管継ぎ手６３に対して上流側には、合流排水横枝管６４が接続しており、この合流排水横枝管６４には、分岐管部６５を有する合流排水管継ぎ手６６が接続している。洗濯機パン５の排水横枝管６７は、前記分岐管部６５に接続している。前記合流排水管継ぎ手６６に対して上流側には、合流排水横枝管６８が接続しており、この合流排水横枝管６８には、分岐管部６９を有する合流排水管継ぎ手７０が接続している。ユニットバス６の排水横枝管７１は、前記分岐管部６９に接続している。合流排水管継ぎ手７０に対して上流側には、合流排水横枝管７２が接続している。
【０００６】
この従来例において、洗面器４を、図５の合流排水横枝管５９、６４、６８、７２の中心軸を結ぶ軸線７３に対して右側の位置から、軸線７３に対して左側に移設する場合、この移設は合流排水横枝管を結ぶ軸線７３を跨ぐ移設となるので、まず、（１）洗面器４の排水横枝管６１を合流排水管継ぎ手６３の分岐管部６２から外し、（２）次いで、合流排水管継ぎ手６３を合流排水横枝管５９及び６４から外す。（３）(i)合流排水横枝管５９及び６４と合流排水管継ぎ手６３の接続が、メカニカル接続やゴムリング等による差し込み接続等であり、着脱可能により再使用可能である場合には、接続する配管のシール部材を交換して、合流排水管継ぎ手６３を該軸線７３を中心に回転させ、合流排水管継ぎ手６３の分岐管部６２の向きを、軸線７３に対して左側に向けて、合流排水管継ぎ手６３を合流排水横枝管５６及び６４に接続する。（ii）しかし、合流排水横枝管５９及び６４と合流排水管継ぎ手６３の接続が、ねじ込み接続や接着接続などのように着脱不能な場合には、再使用が可能ではないから、新しい合流排水管継手６３を、その分岐管部６２の向きを、軸線７３に対して左側に向けて、合流排水横枝管５９及び６４に接続する。（４）このように配管したところで、洗面器４の排水横枝管６１を合流排水管継ぎ手６３の分岐管部６２に接続する。このような要領で、洗濯機パン５及びユニットバス６について、据え付けられている位置から、軸線７３に対して反対側の位置に移動させる。
【０００７】
以上のように、従来の排水管システムにおいては、合流排水横枝管を跨いで配管を変更する住戸内の衛生器具の移設には、その衛生器具の排水管を合流排水管継ぎ手の排水横枝管から外し、さらに、その合流排水管継ぎ手を片側又は前後の合流排水横枝管から外して、その全体を敷設し直さなければならず、そのために、多くの労力を費やして問題とされていた。また、図５に示す実施例において、例えばユニットバス６を図５の実線の位置から、その下流側で軸線７３に対して左側の一点鎖線で示されるユニットバス６′の位置に移設しようとする場合、合流排水管継ぎ手がメカニカル継ぎ手であるときは、該合流排水管継ぎ手７０を合流排水横枝管６８及び７２より外して、分岐管部６９が軸線７３に対して左側にくるように配置して、排水横枝管７１′を配管してユニットバス６′と再接続することとなるが、ユニットバス６′は、合流排水管継ぎ手７０に対し下流側になるために、ユニットバス６′に取り付けられた排水横枝管７１′の排水経路は、合流排水横枝管内の排水の流れに対し逆方向となるために、流れの反転する部分を生じて、排水搬送性能が大きく低下することとなり、問題である。そこで、合流排水管継ぎ手７０は、ユニットバス６′の位置に合わせて下流側に移動させて、合流排水横枝管に接続されることとなる。したがって、その下流側の合流排水横枝管も、合流排水管継ぎ手の接続位置に合わせて新規に敷設することとなり、コストが掛かり問題である。
そこで、これらの必要とする費用及び労力を考慮して、合流排水横枝管を跨がない限度の衛生器具の配置の変更に妥協するとしても、衛生器具を使用する上での不便さが残り問題であり、このように衛生器具の配置の自由度が大きく制限されてしまうことについても問題とされている。
本発明は、衛生器具の移設に伴う排水用配管の変更の際の問題点を解決することを目的としている。
【０００８】
【問題点を解決するための手段】
本発明は、衛生器具の移設の際に排水用配管の変更を自由に且つ簡単に行うことができる配管システムを提供することを目的としている。
即ち本発明は、建物内の合流排水横枝管に接続する排水ヘッダーと、該排水ヘッダーに着脱自在に接続する複数の排水横枝管とからなる建物内排水管システムにおいて、該排水ヘッダーは複数個の合流排水管継ぎ手を回動自在に連結してなることを特徴とする建物内排水管システムにある。
【０００９】
【発明の実施の形態】
本発明の建物内排水管システムにおいては、合流排水横枝管は、排水立管又は排水桝に、夫々管継ぎ手を介して接続されており、この合流排水横枝管に、衛生器具の排水横枝管を接続するために、分岐管部を有する合流排水管継ぎ手が使用されている。本発明において、排水ヘッダーは、複数の合流排水管継ぎ手で構成されており、その排水ヘッダーの継ぎ手構造は、合流排水管継ぎ手内の合流排水に、一以上の排水横枝管内の排水をスムーズに合流させるようになっており、上流の合流排水管継ぎ手の接続部と下流の合流排水管継ぎ手の接続部を直線上に配置し、その直線に対し、傾き、例えば４５°程度の傾きを有する直線上に排水横枝管を接続配置する構成となっている。本発明において、排水ヘッダーを有する建物内排水管システムは、下階に影響を与えずに施工できるように、住戸内のコンクリートスラブと床の間に配設するのに適している。
【００１０】
本発明において、合流排水管継ぎ手は、その両端は、共に接続用端部であり、合流排水横枝管又は合流排水管継ぎ手の接続用端部に、ゴムリング等のシール部材によりシールされた状態で回動可能で接続可能に形成される。前記両端の接続用端部は、シールされた状態で回動可能に接続できれば、同一の接続構造とすることができ、又は異なる接続構造とすることができる。接続構造は、シールされた状態で回動可能に接続されるものであり、ゴムリングを使用する差込み接続やハウジング接続等の接続構造とすることができる。
【００１１】
本発明において、例えば、差込み接続のように、一方の合流排水管継ぎ手又は合流排水横枝管の接続用端部を拡大部に形成して差込み可能とすることができる。この場合には、この拡大部に、回動可能に接続する相手方の合流排水管継ぎ手の接続用端部を差込み、両端部間に、ゴムリング等のシール部材を配置して、該シール部材により液密にシールされた状態で回動可能な差込み口に形成することができる。
【００１２】
合流排水管継ぎ手には、衛生器具の排水横枝管が接続可能な、少なくとも一個の分岐管部が接続用端部が形成されている主管部から分岐して設けられる。この分岐管部は合流排水管継ぎ手にＹ字形分岐管等の各種分岐管として形成することができ、衛生器具の排水横枝管部に管継ぎ手を介して又は介さずに取り外し可能に接続できるように形成される。
【００１３】
本発明において、合流排水横枝管の接続用端部と、合流排水管継ぎ手の接続用端部とを、略同寸法の管状部に形成して、互いに突き合うように配置して、例えばゴムリング等のシール部材を有するハウジング型継ぎ手等を使用して、回動可能に接続することができる。また、合流排水横枝管の接続用端部は、合流排水管継ぎ手の接続用端部と、略同寸法の管部に形成して、両端部を突き合わせた状態で、ゴムシール部材を備えるカラー継ぎ手により、回動可能に接続することができる。
【００１４】
本発明において、合流排水横枝管及び合流排水管継ぎ手は、従来の合流排水横枝管及び合流排水管継ぎ手と同様の素材で形成することができる。
本発明において、合流排水管継ぎ手の一方の側の接続用端部、即ち第一の接続用端部を拡大開口に形成し、他方の接続用端部、即ち第二接続用端部を差込み用開口に形成することができる。また、第一の合流排水管継ぎ手は、両端部の接続用端部に拡大開口を形成し、第二の合流排水管継ぎ手及び合流排水横枝管の接続用端部を差込み開口に形成することができる。何れの場合にも、拡大開口内に差込み用開口が差し込まれ、両開口の間に、リング状のシール部材が挟着させて、両開口間を回動可能に接続する。
【００１５】
本発明は、建物内の合流排水横枝管に接続する排水ヘッダーと、該排水ヘッダーに着脱自在に接続する複数の排水横枝管とからなる建物内排水管システムにおいて、該排水ヘッダーは複数個の合流排水管継ぎ手を回動自在に連結してなるので、合流排水横枝管を跨ぐ方向に、又は上流側から下流側又はこの逆に下流側から上流側に合流排水管横枝管を跨ぐ方向に衛生器具の配置を変更しても、合流排水管継ぎ手を隣接する合流排水横枝管又は合流排水管継ぎ手に対して回動させることによって、合流排水管継ぎ手を、これに接続する合流排水管継ぎ手及び合流排水横枝管の何れとも係合又は接続を解くことなく、合流排水管継ぎ手の分岐管部の接続口を合流排水横枝管を中心にして反対側に向けることができ、移設した衛生器具に排水横枝管を接続することができ、また、複数の合流排水管継ぎ手が、夫々回動可能に最下流側に集約することもあり、排水横枝管の排水経路合流排水横枝管の排水流れ方向に対して反転する部分を生じることがなく、排水搬送性能を低下させない。
【００１６】
【実施例】
以下に、添付の図面を参照して、本発明の実施例について説明するが、本発明は、以下の例示及び説明の内容によって何ら限定されるものではない。
図１は、本発明の一実施例の排水管システムにおける衛生器具、合流排水横枝管及び合流排水管継ぎ手の接続関係を示す概略の配管図である。図２は、前記図１に示す本発明の一実施例における排水管システムの合流排水管継ぎ手に対する合流排水横枝管及び他の合流排水管継ぎ手の接続関係の一例を示す概略の部分断面図である。図３は、前記図１に示す本発明の一実施例の排水管システムにおけ合流排水管継ぎ手に対する図２と異なる合流排水横枝管及び他の合流排水管継ぎ手の接続関係の一例を示す概略の部分断面図である。図４は、前記図１に示す本発明の一実施例の排水管システムにおける合流排水管継ぎ手に対する図２及び図３と異なる合流排水横枝管及び他の合流排水管継ぎ手の接続関係の一例を示す概略の部分断面図である。図１乃至図４において対応する部分には同一の符号が付されている。
【００１７】
図１に示す実施例において、排水管システム１は、排水立管又は排水桝（何れも図示されていない）に、合流排水横枝管２が、合流排水の流れる方向３において接続固定されている。本例においては、衛生器具として、洗面器４、洗濯機パン５及びユニットバス６が設けられている。洗面器４の排水横枝管７は、合流排水管継ぎ手８に形成されている分岐管部９に接続している。合流排水管継ぎ手８に対して上流側には、合流排水管継ぎ手１０が接続しており、この合流排水管継ぎ手１０は、分岐管部１１を有している。洗濯機パン５の排水横枝管１２は、前記分岐管部１１に接続している。合流排水管継ぎ手１０に対して上流側には、合流排水管継ぎ手１３が接続しており、この合流排水管継ぎ手１３には、分岐管部１４が形成されている。ユニットバス６の排水横枝管１５は、前記分岐管部１４に接続している。
【００１８】
本例は以上のように構成されている。そこで、本例の配管システムの使用について、図１に示す実施例において、洗面器４を、合流排水横枝管２及び１６の中心軸を結ぶ軸線１７の右側から左側に移設する事例を説明する。
即ち、洗面器４を、図１の前記軸線１７の右側の位置から、図１の前記軸線１７の左側の位置に移設する場合には、まず、（１）洗面器４について、洗面器４に接続する側及び合流排水管継ぎ手８の分岐管部９に接続する側で排水横枝管７を外して該排水横枝管７を取り除く。次いで、（２）合流排水管継ぎ手８に隣接の合流排水横枝管２及び合流排水管継ぎ手１０が回転しないように夫々を抑えながら、合流排水管継ぎ手８を、分岐管部９が前記軸線１７の左側で洗面器４の移設予定位置の方向を向くまで、合流排水横枝管２及び１６を結ぶ前記軸線１７を中心に回転させる。次いで、（３）合流排水管継ぎ手８の回転により分岐管部９を、洗面器４の移設予定位置の方向に向けた後、分岐管部９と洗面器４とを結ぶ排水横枝管７を配管し、洗面器４の移設を行う。
【００１９】
また、洗濯機パン５を、図１の前記軸線１７の右側の位置から、図１の前記軸線１７の左側の位置に移設する場合には、まず、（１）洗濯機パン５について、洗濯機パン５に接続する側及び合流排水管継ぎ手１０の分岐管部１１に接続する側で排水横枝管１２を外して該排水横枝管１２を取り除く。次いで、（２）合流排水管継ぎ手１０に隣接の合流排水管継ぎ手８及び合流排水管継ぎ手１３が回転しないように夫々を抑えながら、合流排水管継ぎ手１０を、分岐管部１１が前記軸線１７の左側で洗濯機パン５の移設予定位置の方向を向くまで、合流排水横枝管２及び１６を結ぶ前記軸線１７を中心に回転させる。次いで、（３）合流排水管継ぎ手１０の回転により分岐管部１１を、洗濯機パン５の移設予定位置の方向に向けた後、分岐管部１１と洗濯機パン５とを結ぶ排水横枝管１２を配管し、洗濯機パン５の移設を行う。
【００２０】
さらに、ユニットバス６を、図１の前記軸線１７の右側の位置から、図１の前記軸線１７の左側の位置に移設する場合には、まず、（１）ユニットバス６について、ユニットバス６に接続する側及び合流排水管継ぎ手１３の分岐管部１４に接続する側で排水横枝管１５を外して該排水横枝管１５を取り除く。次いで、（２）合流排水管継ぎ手１３に隣接の合流排水管継ぎ手１０及び合流排水横枝管１６が回転しないように夫々を抑えながら、合流排水管継ぎ手１３を、分岐管部１４が前記軸線１７の左側でユニットバス６の移設予定位置の方向を向くまで、合流排水横枝管２及び１６を結ぶ前記軸線１７を中心に回転させる。次いで、（３）合流排水管継ぎ手１３の回転により分岐管部１４を、ユニットバス６の移設予定位置の方向に向けた後、分岐管部１４とユニットバス６とを結ぶ排水横枝管１５を配管し、ユニットバス６の移設を行う。
【００２１】
本例においては、衛生器具として、洗面器４、洗濯機パン５及びユニットバス６を合流排水横枝管２に、合流排水管継ぎ手８、１０及び１３を介して接続する例を説明したが、これ以外の衛生器具を加えても、本例に準じて配置し、移設時の配管作業を行うことができる。また以下の例においても、本例に準じて配置し、移設時の配管作業を行うことができる。
本例において、分岐管部を有する合流排水管継ぎ手８、１０及び１３を直列に接続しているが、このように複数の合流排水管継ぎ手を連続して直列に接続して形成した集合継ぎ手部は、排水ヘッダー１８と呼ばれている。
【０００２２】
図２に示す実施例においては、合流排水横枝管２の、排水ヘッダー１８の合流排水管継ぎ手８と接続する拡大接続端部１９は、合流排水管継ぎ手８の差込み口２０が挿入可能であるように、径が拡大された拡大接続開口部２１となっている。前記拡大接続開口部２１の内部には、合流排水管継ぎ手８の差込み口２０が差し込まれて、リング状シール部材２２により回動可能に支持されている。
【００２３】
本例において、合流排水管継ぎ手８は、その主たる管状部２３の側部に、分岐管部９が形成され、その端部には径が拡大された分岐管部接続口２４が形成されている。分岐管部接続口２４には、その外側に向けてフランジ部２５が形成され、分岐管部接続口２４の内側にパッキング２６が配置されている。パッキング２６及びフランジ部２５の上には、抑え輪２７が配置されており、抑え輪２７は、フランジ部２５にボルト２８及びナット２９を介して取り付けられている。合流排水管継ぎ手８の一方の端部の差込み口２０に対し反対側の端部３０には、拡大接続開口部３１が形成されており、この拡大接続開口部３１の内部には、合流排水管継ぎ手８と同一の構造を有する隣接する合流排水管継ぎ手１０の差込み口３２が差し込まれて、リング状シール部材３３により回動可能に支持されている。合流排水管継ぎ手１０においても同様に、差込み口３２に対し反対側の端部３４には、拡大接続開口部３５が形成されており、この拡大接続開口部３５の内部には、合流排水管継ぎ手８及び１０と同一の構造を有して隣接する合流排水管継ぎ手１３の差込み口３６が差し込まれて、リング状シール部材３７により回動可能に支持されている。
【００２４】
本例は以上のように構成されているので、合流排水管継ぎ手８は、合流排水横枝管２の拡大接続開口部１９内に、その差込み口２０を回動させながら押し込み、又はその侭押し込んで挿入することにより、回動可能に且つ液密に保持される。本例において、リング状シール材は、弾性材料で形成されており、接続時には、拡大接続開口部２１内に予め配置されていてもよく、また差込み口２０の周囲に予め配置されていてもよい。
【００２５】
合流排水管継ぎ手８の分岐管部９への排水横枝管７（図１）の接続は、まず最初に、抑え輪２７を排水横枝管７に通し、その次に、パッキング２６を排水横枝管７に取り付け、最後に、分岐管部９の差込み口３８に排水横枝管７を差込み、ボルト２８及びナット２９で抑え輪２７とフランジ部２５を締め付けることで、抑え輪２７がパッキング２６を押圧して、排水横枝管７を液密に取り付ける。
合流排水管継ぎ手８に合流排水管継ぎ手１０を取り付けて接続する場合も、合流排水横枝管２に合流排水管継ぎ手８を取り付けて接続する場合と同様である。即ち、合流排水管継ぎ手１０の差込み口３２を、合流排水管継ぎ手８の拡大接続開口部３１内に、回動しながら押し込み又はその侭押し込むことにより挿入して、回動可能に且つ液密に保持させることにより接続する。
【００２６】
本例においても、図１に示す実施例と同様の仕方で、洗面器４、洗濯機パン５及びユニットバス６が設けられている排水管システムにおいて、洗面器４を、合流排水横枝管２及び１６の中心軸を結ぶ軸線１７の右側から左側に移設することができる。
即ち、洗面器４を、図１の合流排水横枝管２及び１６の中心軸を結ぶ軸線１７の右側の位置から、図１の前記軸線１７の左側の位置に移設する場合には、まず、（１）洗面器４について、洗面器４に接続する側及び合流排水管継ぎ手８の分岐管部９側で排水横枝管７を外して排水横枝管７を取り除く。次いで、（２）洗面器４を軸線１７の右側の位置から目的の左側の位置に移設する。次いで、（３）合流排水管継ぎ手８に隣接の合流排水横枝管２及び合流排水管継ぎ手１０が回転しないように、夫々を抑えながら合流排水管継ぎ手８を、分岐管部９が、前記軸線１７の左側で洗面器を接続させる方向に向くまで、前記軸線１７を中心に回転させる。（４）分岐管部９が、前記軸線１７の左側で洗面器を接続させる方向に向いたところで、排水横枝管７を洗面器４に接続すると共に、分岐管部９に接続させて、洗面器４と合流排水管継手８の分岐管部９の間に排水横枝管７を配管する。
【００２７】
図３に示す実施例は、図２に示す実施例と比較して、合流排水横枝管２と合流排水管継ぎ手８の接続に管継ぎ手部材３９を使用する点で相違する。
本例において、管継ぎ手部材３９は、合流排水管継ぎ手８の接続する側に、合流排水管継ぎ手８の差込み口２０が挿入可能であるように、径が拡大された拡大接続開口部４０を有し、合流排水横枝管２に接続する側に、フランジ部４１を有する内径が拡大されていない接続開口部４２を有している。接続開口部４２の一段内径が拡大されている内側部分４３には、フランジ部４１より上方に突き出て弾性材料製のパッキング４４が配置されており、またフランジ部４１の上には、抑え輪４５が配置されている。抑え輪４５は、パッキング４４を押圧するように、フランジ部４１に、ボルト４６及びナット４７を介して取り付けられている。
【００２８】
したがって、本例において、合流排水横枝管２に合流排水管継ぎ手８を接続するには、例えば、管継ぎ手部材３９のボルト４６及びナット４７の係合を緩めて、管継ぎ手部材３９の接続開口部４２のパッキング４４を緩くする。このパッキング４４が緩められた接続開口部４２の内側部分４３に合流排水横枝管２の接続端開口部４８を差し込んでボルト４６及びナット４７を締めて管継ぎ手部材３９に合流排水横枝管２を固定する。固定された管継ぎ手部材３９の拡大接続開口部４０内に合流排水管継ぎ手８の差込み口２０を差し込んで、管継ぎ手部材３９に合流排水管継ぎ手８を、リング状のシール部材４９を介して回動可能に支持する。
【００２９】
本例においては、管継ぎ手３９の拡大接続開口部４０の内部には、合流排水管継ぎ手８の差込み口２０が差し込まれて、リング状のシール部材４９により回動可能に支持されている。本例においても、図２の実施例と同様に、合流排水管継ぎ手８には、その管状側部に、図２の実施例と同一構造の分岐管部９が形成され、その端部には径が拡大された排水横枝管接続口３８が形成されている。また、合流排水管継ぎ手８には、差込み口２０と反対側には拡大接続開口部３０が形成されており、この拡大接続開口部３０の内部には、合流排水管継ぎ手８と同一の構造を有する隣接する合流排水管継ぎ手１０の差込み口３２が差し込まれて、リング状のシール部材３３により回動可能に支持されている。
【００３０】
本例は以上のように構成されているので、本例においても、図１及び図２に示す実施例と同様の仕方で、洗面器４、洗濯機パン５及びユニットバス６が設けられている排水管システムにおいて、洗面器４を、合流排水横枝管２及び１６の中心軸を結ぶ軸線１７の右側から左側に移設することができる。
【００３１】
図４に示す実施例においては、シール部材のゴムリング５０を間に収容できるように、溶接リング５１が、接続される合流排水管継ぎ手の接続端部５２に夫々設けられている。この溶接リング５１は、接続端部５２の外周に形成された案内溝を以って代えることができる。本例においては、溶接リング５１間に配置されているゴムリング５０を覆うように、両接続端部５２に設けられている溶接リング５１を跨いで、一対の半割形のハウジング５３が配置される。この半割形ハウジング５３には、その長手方向端部に、外側に突き出るように突設片部５４が設けられており、夫々突設片部を互いに対向させて、ボルト５５及びナット５６により、半割形のハウジング５３が、ゴムリング５０を互いに締め付けて、ゴムリング５０を管の接続部に圧着させて管の接続を行なうように固定することができる。以上のように、本例は，半割形ハウジング５３を、互いに締め付け固定することにより、ゴムリング５０を圧着させて管の接続を行うようにした点、及び合流排水横枝管２及び排水ヘッダーを構成する各合流排水管継ぎ手８、１０及び１３の夫々に、拡大接続開口部を形成する必要がない点で図２及び３に示す実施例と相違する。
【００３２】
即ち、図４に示す実施例においては、排水ヘッダー１８の各合流排水管継ぎ手８と、これに接続する直管状の合流排水横枝管２は、共に全体が同寸径に形成されている。したがって、排水ヘッダー１８の合流排水管継ぎ手８の接続端開口部５２と接続する直管状の合流排水横枝管２の接続端開口部４８は、同寸径であり、その接続間隙は符号５７で示されている。本例においては、前記ハウジング形の管継ぎ手部材５３及びゴムリング５０を合流排水管横枝管２の接続端部４８及び合流排水管継ぎ手８の接続端部５２の上に配置し、一対の半割形のハウジング５３を、ゴムリング５０及び接続部を囲んで配置して、例えばボルト５５及びナット５６等の締め具により締めて、ゴムリング５０を圧着して、合流排水横枝管２に対し合流排水管継ぎ手８を回動可能に且つ液密に保持することができる。本例において、分岐管部９、１１及び１４は、図２及び図３に示す実施例と同様に構成される。
本例においても、図１に示す実施例と同様の仕方で、洗面器４、洗濯機パン５及びユニットバス６が設けられている排水管システムにおいて、洗面器４を、合流排水横枝管２及び排水ヘッダー１８の各合流排水管継ぎ手８，１０及び１３の中心軸を結ぶ軸線１７の右側から左側に移設することができる。
【００３３】
【発明の効果】
本発明は、建物内の合流排水横枝管に接続する排水ヘッダーと、該排水ヘッダーに着脱自在に接続する複数の排水横枝管とからなる建物内排水管システムにおいて、該排水ヘッダーは複数個の合流排水管継ぎ手を回動自在に連結するので、合流排水管継ぎ手が、下流側に集約されることとなり、衛生器具、例えばユニットバスを、今ある位置から、二つの合流排水横枝管を結ぶ軸線に対し、反対側の場所に移設する場合でも、合流排水管継ぎ手から移設される衛生器具の排水横枝管を外して、ユニットバスを移設する目的位置に移し、合流排水管継ぎ手を前記軸線を中心に回転して、排水横枝管を介して接続することができ、合流排水管継ぎ手を合流排水横枝管から外す事なくユニットバスの移設を行うことができ、また、上流側から下流側の何れの場所に移設する場合でも、従来の排水管システムと、比較して、合流排水横枝管の排水の流れに対して反転する部分を生じることがなく、排水搬送性能を低下させることなく、衛生器具の移設を行うことができる。以上のように、本発明によると、従来の排水管システムに比して、合流排水管継手を外す労力を削減でき、したがって、衛生器具の配置が制限されることがなく、さらに、合流排水管継手を外した場合、新しい合流排水管継手や交換用の配管とのシール部材を必要とせず、衛生器具の取り替え及び配置換えの作業を短縮でき、衛生器具の取り替えコストを軽減することができる。
【図面の簡単な説明】
【図１】本発明の一実施例の排水管システムにおける衛生器具、合流排水横枝管及び合流排水管継ぎ手の接続関係を示す概略の配管図である。
【図２】前記図１に示す本発明の一実施例における排水管システムの合流排水管継ぎ手に対する合流排水横枝管及び他の合流排水管継ぎ手の接続関係の一例を示す概略の部分断面図である。
【図３】前記図１に示す本発明の一実施例の排水管システムにおけ合流排水管継ぎ手に対する図２と異なる合流排水横枝管及び他の合流排水管継ぎ手の接続関係の一例を示す概略の部分断面図である。
【図４】前記図１に示す本発明の一実施例の排水管システムにおける合流排水管継ぎ手に対する図２及び図３と異なる合流排水横枝管及び他の合流排水管継ぎ手の接続関係の一例を示す概略の部分断面図である。
【図５】従来の一般的な集合住宅における住戸内の排水管システムを示す概略の部分的配管図である。
【符号の説明】
１、５８  排水管システム
２、１６、５９、６４、６８、７２  合流排水横枝管
３、６０  排水の流れる方向
４  洗面器
５  洗濯機パン
６、６′  ユニットバス
７、１２、１５、６１、６７、７１、７１′  排水横枝管
８、１０、１３、６３、６６、７０  合流排水管継ぎ手
９、１１、１４、６２、６５、６９  分岐管部
１７、７３  軸線
１８  排水ヘッダー
１９  拡大接続端部
２０、３２、３６  合流排水管継ぎ手の差込み口
２１、３１、３５  拡大接続開口部
２２、３３、３７  リング状シール部材
２３  主たる管状部
２４  分岐管部接続口
２５、４１  フランジ部
２６、４４  パッキング
２７  抑え輪
２８、４６、５５  ボルト
２９、４７、５６  ナット
３０、３４  合流排水管継ぎ手の差込み口に対し反対側の端部
３８  分岐管部の差込み口
３９  管継ぎ手部材
４０、４２  管継ぎ手部材３９の接続開口部
４３  接続開口部の内側部分
４７  合流排水横枝管２の接続端開口部
４９  シール部材
５０  ゴムリング
５１  溶接リング
５２  合流排水管継ぎ手の接続端開口部
５３  半割形のハウジング
５４  突設片部
５７  接続間隙
５８  排水管システム
【図１】
0004455727.tif 000002
【図２】
0004455727.tif 000003
【図３】
0004455727.tif 000004
【図４】
0004455727.tif 000005
【図５】
0004455727.tif 000006